(57)【特許請求の範囲】
【請求項１】
車両の幅方向に分かれて配置される座席と重なる部分の床下に燃料タンクを配置し、この燃料タンクに燃料を供給するために、該燃料タンクから床下を通して前記車両の後部側に設けられる給油口に至るまで配管されるフィラパイプを保護する保護構造であって、
前記車両の後方から見える前記フィラパイプを保護するように、前記車両に保護部材を取り付け、
前記保護部材は、前記フィラパイプを被覆するように取り付けられるカバー部と、前記車両の後方から見える前記フィラパイプの後方であって、該フィラパイプから所定の寸法をおいて離れた車両の後部位置に取り付けられるガード部と、から構成され、
前記ガード部は、前記カバー部よりも大きな剛性を有しており、
前記車両は、第１のリアクロスメンバと、前記第１のリアクロスメンバの後方に設置された第２のリアクロスメンバと、前記第２のリアクロスメンバの下方に剛性を持たせて取り付けられた剛体部と、を有し、
前記ガード部の一端側は、前記第１のリアクロスメンバに取り付けられ、前記ガード部の他端側は、前記剛体部に取り付けられていることを特徴とするフィラパイプの保護構造。
【請求項２】
前記フィラパイプは、リア側のサスペンション部材の下を通り、かつ、フロアパネルの幅方向のほぼ中央部位において車両の前後方向に設けられるセンタトンネルを通って前記燃料タンクから前記給油口に至るまで配管されていることを特徴とする請求項１に記載のフィラパイプの保護構造。
【発明の詳細な説明】
【技術分野】
【０００１】
本発明は、フィラパイプの保護構造に係り、特に車両の幅方向の左右に分かれて配置される座席と重なる部分の床下に燃料タンクを配置し、この燃料タンクに燃料を供給するために、該燃料タンクから床下を通して車両の後部側（リア側）に備えられる給油口に至るまで配管されるフィラパイプが接地（接触）や衝突などによって損傷しないように保護するための保護構造に関する。
【背景技術】
【０００２】
近年、車体の大きさ（外観寸法）を維持しつつ、車室内（キャビン）の空間スペースを一層広くすることが望まれている。しかし、一般の車両（乗用車）においては後部座席の下方や後方などの車両の後部側に燃料タンクが配置されている。このために、燃料タンクのスペース分、車両後部のスペース利用に限界がある。つまり、車室内の空間スペースを広くする上で限界があった。
【０００３】
そこで、本願出願人は、燃料タンクの配置を、車両の後部側から車室内の床下に変更することで、燃料タンクを配置するために取られていた車両後部の配置スペースを不要とし、これにより、車室内の空間スペースを広くするようにした燃料タンクの配置構造について先に提案している（例えば特許文献１参照）。具体的には、車両の幅方向において左右に分かれる運転席と助手席との間の座席と重なる車両のほぼ中央部分の床下を有効に利用して、燃料タンクを配置したものである。
この特許文献１において開示されている配置構造では、運転者の足元が位置する床面は勿論、搭乗者の足元に位置する床面をも車室側に膨出させることなく、床面の低底を維持する。つまり、車室内の上下方向の居住性において、特に後部座席側の居住性を広く確保する。そして、車室内とトランク室との間を区画するための仕切りがない所謂２ボックスカーにおいては、後部座席を折り畳むように倒すことによって、車両後部の荷物の収納スペースをより広く確保できるようにしている。
【特許文献１】特開２０００−８５３８２号公報（段落番号００２４および００５２、図１４〜図１７参照）
【発明の開示】
【発明が解決しようとする課題】
【０００４】
ところで、前記した燃料タンクの配置構造では、運転席と助手席との間の座席と重なる車両のほぼ中央部分の床下に燃料タンクを配置することで、車室内の空間スペースをより一層広くすることが達成された。
しかしながら、このように車両のほぼ中央付近に燃料タンクを配置した場合には、燃料タンクから車両の後部側（リア側）の側部であって、側部の上方の位置（高所）に設けられている給油口までの距離が長くなり、また、燃料タンクに燃料を供給するために、燃料タンクから給油口に至るまで配管されるフィラパイプを通す位置が課題となる。単に給油口から車両の床下に向け、床下に沿ってフィラパイプを通したのでは、フィラパイプが路面などに接地（接触）したり、縁石や障害物などに衝突して損傷するおそれがあるなどの心配がある。
【０００５】
そこで、本発明は、前記課題を解消すべく創案されたものであり、車両の幅方向の左右に分かれて配置される座席と重なる部分に燃料タンクを配置し、この燃料タンクに燃料を供給するために、該燃料タンクから車両の後部側に設けられる給油口に至るまで配管されるフィラパイプであって、路面などに接地（接触）したり、縁石や障害物に衝突して損傷しないようにフィラパイプを保護することができるように改良された保護構造を提供することにある。
【課題を解決するための手段】
【０００６】
前記課題を解決するために本発明は、請求項１では、車両の幅方向に分かれて配置される座席と重なる部分の床下に燃料タンクを配置し、この燃料タンクに燃料を供給するために、該燃料タンクから床下を通して前記車両の後部側に設けられる給油口に至るまで配管されるフィラパイプを保護する保護構造であって、前記車両の後方から見える前記フィラパイプを保護するように、前記車両に保護部材を取り付け、前記保護部材は、前記フィラパイプを被覆するように取り付けられるカバー部と、前記車両の後方から見える前記フィラパイプの後方であって、該フィラパイプから所定の寸法をおいて離れた車両の後部位置に取り付けられるガード部と、から構成され、前記ガード部は、前記カバー部よりも大きな剛性を有しており、前記車両は、第１のリアクロスメンバと、前記第１のリアクロスメンバの後方に設置された第２のリアクロスメンバと、前記第２のリアクロスメンバの下方に剛性を持たせて取り付けられた剛体部と、を有し、前記ガード部の一端側は、前記第１のリアクロスメンバに取り付けられ、前記ガード部の他端側は、前記剛体部に取り付けられていることを特徴とする。
【０００７】
請求項１に記載の構成によれば、車両の床下を通して配管され、車両の後方から見えるフィラパイプを保護部材によって保護する。これにより、フィラパイプを路面などに接地（接触）したり、縁石や障害物に衝突して損傷しないように保護することができる。
さらに、請求項１に記載の構成によれば、フィラパイプは、被覆するように取り付けられるカバー部と、車両の後部位置に取り付けられて大きな剛性を有するガード部とによって保護される。そして、請求項１に記載の構成によれば、ガード部の一端側は第１のリアクロスメンバに取り付けられ、ガード部の他端側は第２のリアクロスメンバの下方に設けられた剛体部に取り付けられてフィラパイプを保護する。つまり、ガード部は、縁石や障害物に衝突した際の衝撃などによって車体フレームから簡単に外れることがなく、フィラパイプを確実に保護するものである。
【００１０】
また、請求項２では、前記フィラパイプが、リア側のサスペンション部材の下を通り、かつ、フロアパネルの幅方向のほぼ中央部位において車両の前後方向に設けられるセンタトンネルを通って前記燃料タンクから前記給油口に至るまで配管されていることを特徴とする。
【００１１】
請求項２に記載の構成によれば、前記したように保護部材により保護されるフィラパイプは、車両の幅方向に分かれて配置される座席と重なる部分のフロアパネルの床下からセンタトンネルを通り、そして、該センタトンネルからリア側のサスペンション部材の下を通って車両のリア側の側部に設けられる給油口に至るまで配管される。これにより、フィラパイプは、給油口から燃料タンクへ燃料が供給されるに際して、燃料の流れが乱れる蛇行などの曲がり部が少ないほぼ直線的な配管経路を通して床下に配管されることになる。
【発明の効果】
【００１２】
本発明に係るフィラパイプの保護構造は以上のように構成されていることで、路面などに接地（接触）したり、縁石や障害物などに衝突して損傷しないようにフィラパイプを保護することができる。よって、信頼性の高いフィラパイプの保護構造を提供することができる。
【発明を実施するための最良の形態】
【００１３】
以下、本発明の実施形態について、適宜図面を参照しながら詳細に説明する。
図１は、本発明に係るフィラパイプの保護構造を採用した車両の実施形態を示す概略側面図である。
なお、本実施形態では、運転者から見た方向に従い、Ｆｒは前側、Ｒｒは後側、Ｌは左側、Ｒは右側を示す。
【００１４】
≪車両の説明≫
車両１は、車室（キャビン）２とトランク室３との間を区画する仕切りがない所謂２ボックスカーである。図１に示すように、車両１は、車体フレーム４の前部にエンジン５を搭載し、車体フレーム４の前部と後部の前輪６と後輪７との間に車室２を有している。
また、車両１の幅方向に分かれて配置される運転席８と助手席９との下方位置で、かつ、運転席８および助手席９と重なる床下のほぼ中央部分に燃料タンク１０を配置している（後記の図５参照）。そして、車体フレーム４の上にほぼ全面に付設されるフロアパネル１１によって燃料タンク１０を覆い、このフロアパネル１１の後部分をトランク室３の床としている（図１参照）。
【００１５】
また、図１に示すように、車体フレーム４のほぼ中央部分に配置される燃料タンク１０に燃料を供給するために、燃料タンク１０から車体の床下を通し、かつ、リア側のサスペンション部材１２の下を通して、車両１の後部側（リア側）の側部であって、側部の上方の位置（高所）に設けられている給油口１３に至るまでフィラパイプ１４が配管されている。
【００１６】
≪車体フレームの説明≫
図２は、同車両の車体フレームからフロアパネルを外した状態を示す概略平面図であり、図３は、図１における要部を拡大して示す概略側面図であり、図４は、図２を車両の後方から見た状態を拡大して示す概略背面図である。
図２に示すように、車体フレーム４は、車両１の前側の左側と右側において車体の前後方向に延びるフロアサイドフレーム１５を備え、このフロアサイドフレーム１５の前端部の間に掛け渡されるフロントクロスメンバ１６を備えている。
【００１７】
そして、フロアサイドフレーム１５の車幅方向の外側で、かつ、斜め上方に位置して車体の前後方向に延びるアッパメンバ１７と、このアッパメンバ１７の後端部に接合されて車体の前後方向に延びるサイドシル１８と、このサイドシル１８の後端部から車両１の後側の左側と右側において車体の前後方向に延びるリアサイドフレーム１９を備えている。
また、車体フレーム４は、サイドシル１８の後端部の間に掛け渡されるミドルクロスメンバ２０と、リアサイドフレーム１９の車体の前後方向の途中部位の間と、その後端部の間にそれぞれ掛け渡される第１のリアクロスメンバ２１と第２のリアクロスメンバ２２を備えている。
【００１８】
また、車体フレーム４は、図２に示すように、車両１のほぼ中央部位に４本のフロアフレーム２３〜２６を平面視がほぼ井桁状になるように備えている。これにより、燃料タンク１０の周囲を囲み、該燃料タンク１０を図示省略のボルト止めなどによって支持させるとともに、フロアパネル１１を補強する（図１参照）。つまり、重量物である燃料タンク１０が配置される部分を補強するとともに、床全体を剛性に富んだ床にすることができる。
なお、以上、説明した車体フレーム４の枠組み構成形態は一例であって、特に限定されるものではない。
【００１９】
≪フィラパイプの説明≫
フィラパイプ１４は、耐蝕性などに優れた金属材料から所定の長さに形成されている。このフィラパイプ１４は、図１および図２に示すように、車体フレーム４のほぼ中央部分に配置される燃料タンク１０からフロアパネル１１のセンタトンネル２７を通り、そして、センタトンネル２７からリア側のサスペンション部材１２の下を通るように車体の床下を通して給油口１３に至るまで配管されるものである。
そして、このようにして、床下を通して配管されるフィラパイプ１４の車両１の後方から見える部分を保護するように、車体フレーム４に保護部材２８を取り付けている（図３および図４参照）。
【００２０】
≪センタトンネルの説明≫
図５は、図２のＶ―Ｖ線に沿った拡大断面図であり、図６は、図２のＶＩ―ＶＩ線に沿った拡大断面図である。ここでは、図１および図２を適宜参照しながら説明する。
図１および図２に示すように、センタトンネル２７は、燃料タンク１０を覆うように上方（車室側）に膨出されたフロアパネル１１の膨出部２９（図５参照）から車体フレーム４のミドルクロスメンバ２０にかけて、フロアパネル１１の幅方向のほぼ中央部位において車両１の前後方向に設けられている（図６参照）。
【００２１】
このように、フロアパネル１１に膨出部２９を設けることで、燃料タンク１０の車体の裏面側への飛び出し量（出っ張り度合い）を低減することができる（図５参照）。そして、センタトンネル２７を設けることで、燃料タンク１０からフィラパイプ１４を給油口１３にわたり配管するに際して、リア側のサスペンション部材１２の下を通してフロアパネル１１の床下にほぼ直線的に配管することが可能になる（図１および図２参照）。
【００２２】
≪保護部材の説明≫
ここでは、図１および図２を適宜参照しながら説明する。
保護部材２８は、路面への接地（接触）や、縁石や路面から突出している障害物との衝突などによってフィラパイプ１４が損傷しないように保護するためのものである。
この保護部材２８は、図１および図３に示すように、フィラパイプ１４を被覆するように取り付けられるカバー部２８ａと、車両１の後方から見える前記フィラパイプ１４の後方であって、該フィラパイプ１４から所定の寸法をおいて離れた車両１の後部位置に取り付けられるガード部２８ｂと、から構成されている。
ここで、フィラパイプ１４の後方であって、該フィラパイプ１４から離れた所定の寸法とは、例えば車両１を後退させたときに、路面から突出している障害物などを早めに検知することができる寸法を意味する。つまり、運転者に対し、障害物の存在を早めに知らせることで、フィラパイプ１４の衝突を確実に回避することができる寸法であり、フィラパイプ１４からできるだけ離れた車両１の後部位置にガード部２８ｂを取り付けることが好適なものとなる。
【００２３】
≪カバー部の説明≫
図７は、フィラパイプと保護部材のカバー部とを示す斜視図である。
カバー部２８ａは、合成樹脂材料によって形成される第１のカバー部３０および第２のカバー部３１を備えている。
【００２４】
第１のカバー部３０は、図７に示すように、平面視が略Ｌ字形を呈し、断面が半円状を呈する２部材からなり、縁方向の数ヶ所に備えられている図示省略の係止爪や係止孔などの係止によって互いに結合されてフィラパイプ１４の外側を被覆するように形成されて、フィラパイプ１４に取り付けられる。
一方、第２のカバー部３１は、図７に示すように、平面視が略直線形を呈し、断面が半円状を呈する２部材を、一方の縁方向の数ヶ所に備えられているヒンジ３２などによって開閉自在とし、他方の縁方向の数ヶ所に備えられている図示省略の係止爪や係止孔などの係止によって互いに結合されてフィラパイプ１４の外側を被覆するように形成されて、フィラパイプ１４に取り付けられる。
【００２５】
また、図７に示すように、第１のカバー部３０と第２のカバー部３１には、フィラパイプ１４を被覆して保護するのみではなく、フィラパイプ１４と同じく燃料タンク１０から給油口１３の近傍に至るまで配管されるブリーザパイプ３３を（図２参照）、フィラパイプ１４とともに保護するブリーザパイプ用のカバー部３４，３５をそれぞれ一体に備えている。
【００２６】
≪ガード部の説明≫
図８は、保護部材のガード部を示し、（ａ）は、斜め上から見た斜視図であり、（ｂ）は、車両に取り付けた状態を、車両の斜め下から見た斜視図である。
ガード部２８ｂは、前記したカバー部２８ａの第１のカバー部３０および第２のカバー部３１よりも大きな剛性を有する所望の材料、例えば金属材料やその他の剛性材料から形成されている。
このガード部２８ｂは、図８の（ａ）に示すように、平面視がほぼ正三角形状で、下方に向けて膨出させたほぼ山形形状に形成されている。
【００２７】
また、図８の（ａ）に示すように、ガード部２８ｂは、開口する三辺縁に締結縁片３６を備えるとともに、一辺縁と一側コーナーの締結縁辺部３６にボルト締結孔３７をそれぞれ備えている。これにより、ガード部２８ｂは、図２および図３に示すように、フィラパイプ１４から所定の寸法をおいて離れた後方位置に存在する車体フレーム４の第１のリアクロスメンバ２１と第２のリアクロスメンバ２２にボルト４１によって締結されて取り付けられるように形成されている。また、ガード部２８ｂには雨水などの浸入などに備えて抜け孔３８が設けられている。
【００２８】
なお、締結縁辺部３６を備えているガード部２８ｂの開口縁形状は、第１のリアクロスメンバ２１と第２のリアクロスメンバ２２とに対する取り付け高さの位置関係にあわせて段差を持たせている（図３参照）。
また、ガード部２８ｂの締結縁辺部３６の第２のリアクロスメンバ２２に対するボルト４１による取り付けは、図３に示すように、第２のリアクロスメンバ２２に溶接やその他の固着手段によって剛性をもたせて取り付けられている剛体部３９に対して行われる。この剛体部３９には牽引用のフック部４０が取り付けられている。
【００２９】
以上のように、本実施形態の保護構造によれば、カバー部２８ａとガード部２８ｂとから構成される保護部材２８によって、車両１の床下を通って配管されるフィラパイプ１４を保護する。これにより、路面などに接地（接触）したり、縁石や障害物に衝突して損傷しないようにフィラパイプ１４を保護することできる。しかも、ガード部２８ｂは、車体フレーム４の高い剛性を有する第１のリアクロスメンバ２１と第２のリアクロスメンバ２２２に剛性をもたせて取り付けられている。つまり、ガード部２８ｂは、縁石や障害物に衝突した際の衝撃などによって車体フレーム４から簡単に外れることなく、フィラパイプ１４を確実に保護するものである。
【００３０】
また、フィラパイプ１４は、車両１の幅方向に分かれて配置される運転席８と助手席９とが重なる部分のフロアパネル１１の床下からセンタトンネル２７を通り、そして、このセンタトンネル２７からリア側のサスペンション部材１２の下を通って車両１のリア側の側部に設けられる給油口１３に至るまで配管される。
これにより、フィラパイプ１４は、給油口１３から燃料タンク１０へ燃料が供給されるに際して、燃料の流れが乱れる蛇行などの曲がり部が少ないほぼ直線的な配管経路を通して床下に配管されることになる。よって、車両１のほぼ中央部分に配置されている燃料タンク１０に燃料を速やかに（滑らかに）供給することができる。
【００３１】
なお、本発明の実施形態の具体的な構成は、前記した実施形態に限られるものではなく、請求項１〜請求項４に記載の本発明の要旨を逸脱しない範囲の設計において変更などがあっても本発明に含まれるものである。
例えば、座席が前後２列タイプではなく、３列タイプの車両の場合には運転席８と助手席９との１列目は勿論のこと、２列目において車両の幅方向に分かれて配置される座席と重なる床下に配置される燃料タンク１０と、車両１の後部側に設けられる給油口１３にわたり配管されるフィラパイプにおいても前記した実施形態と同様に、カバー部２８ａとガード部２８ｂから構成される保護部材２８を用いて保護することができるものである。
また、前記した実施形態においてはカバー部２８ａを、第１のカバー部３０と第２のカバー部３１との二本ものとして説明したが、フィラパイプ１４の配管形態によってはカバー部２８ａを一本ものとしたり、あるいは三本、四本ものとするもよい。要するに、カバー部２８ａは、フィラパイプ１４の配管にあわせて任意に形成されるものである。
【図面の簡単な説明】
【００３２】
【図１】本発明に係るフィラパイプの保護構造を備えた車両の実施形態を示す概略側面図である。
【図２】同車両の車体フレームからフロアパネルを外した状態を示す概略平面図である。
【図３】図１における要部を拡大して示す概略側面図である。
【図４】図２を車両の後方から見た状態を拡大して示す概略背面図である。
【図５】図４のＶ―Ｖ線に沿った拡大断面図である。
【図６】図４のＶＩ―ＶＩ線に沿った拡大断面図である。
【図７】フィラパイプと保護部材のカバー部との関係を示す斜視図である。
【図８】保護部材のガード部を示し、（ａ）は、斜め上から見た斜視図であり、（ｂ）は、車両に取り付けた状態を、車両の斜め下から見た斜視図である。
【符号の説明】
【００３３】
１      車両
２      車室（キャビン）
３      トランク室
４      車体フレーム
５      エンジン
６      前輪
７      後輪
８      運転席（座席）
９      助手席（座席）
１０    燃料タンク
１１    フロアパネル
１２    サスペンション部材
１３    給油口
１４    フィラパイプ
２１，２２  リアクロスメンバ
２７    センタトンネル
２８    保護部材
２８ａ  カバー部
２８ｂ  ガード部
【図１】
0004630180.tif 000002
【図２】
0004630180.tif 000003
【図３】
0004630180.tif 000004
【図４】
0004630180.tif 000005
【図５】
0004630180.tif 000006
【図６】
0004630180.tif 000007
【図７】
0004630180.tif 000008
【図８】
0004630180.tif 000009